(57)【要約】【課題】  貼付した用紙単体を剥がしたときに糊残りしないようにして剥がした後のガラス面のクリーニングを容易に行なえるようにし、貼りなおし作業を容易にするとともに繰り返し使用することができるようにする。【解決手段】  表面１１及び裏面１２を有して矩形状に形成され少なくとも表面１１に情報が表示され上端縁１３及び下端縁１４でミシン目１５を介して切り離し可能に列設される複数の用紙単体１０と、各用紙単体１０の両側端縁１６に夫々ミシン目１７を介して切り離し可能に連結され用紙単体１０の列設方向に沿って所定間隔でパンチ孔２１が複数形成された耳部２０とを備え、各用紙単体１０の表面１１であって両側端縁１６の内側にガラス面に吸着可能な所定幅の帯状の吸着層３０を両側端縁１６に沿って夫々設け、各吸着層３０の表面３１に剥離可能な被覆テープ４０を仮着し、用紙単体１０を切り離してガラス面に引き剥がし可能に貼付可能にした。【選択図】図１
2011224804.tif 000002
【特許請求の範囲】
【請求項１】
表裏面を有して矩形状に形成され少なくとも表面に情報が表示され上端縁及び下端縁でミシン目を介して切り離し可能に列設される複数の用紙単体と、該列設される各用紙単体の両側端縁に夫々ミシン目を介して切り離し可能に連結され該用紙単体の列設方向に沿って所定間隔でパンチ孔が複数形成された耳部とを備え、上記用紙単体が切り離されてガラス面に引き剥がし可能に貼付されるガラス用吸着フォーム用紙であって、
上記各用紙単体の表面であって上記両側端縁の内側に、夫々、ガラス面に吸着可能な所定幅の帯状の吸着層を該両側端縁に沿って設け、該各吸着層の表面に剥離可能な被覆テープを仮着したことを特徴とするガラス用吸着フォーム用紙。
【請求項２】
上記吸着層を、その表面を上記ガラス面に対して開口する多数の吸盤状の微細気孔を有して構成したことを特徴とする請求項１記載のガラス用吸着フォーム用紙。
【請求項３】
上記吸着層は、その裏面が粘着剤を介して上記用紙単体の表面に貼着されていることを特徴とする請求項１または２記載のガラス用吸着フォーム用紙。
【請求項４】
上記各用紙単体の裏面に情報を表示したことを特徴とする請求項１乃至３何れかに記載のガラス用吸着フォーム用紙。
【請求項５】
上記請求項１乃至４何れかに記載のガラス用吸着フォーム用紙から切り離される用紙単体。
【発明の詳細な説明】
【技術分野】
【０００１】
本発明は、情報が表示されミシン目を介して切り離し可能に列設される複数の用紙単体を備え、この用紙単体が切り離されてガラスに引き剥がし可能に貼付されるガラス用吸着フォーム用紙及びその用紙単体に関する。
【背景技術】
【０００２】
一般に、例えば建物の建築においては、窓用等のガラスを使用するが、このガラスには例えば作業手順や作業内容等の情報を表示した紙を貼付することを行なっている。紙としては、図８に示すように、例えば、特許文献１（特開２００９−２２１３８８号公報）に掲載されたものが知られている。これは、紙本体１００の表面または裏面に粘着剤１０１を塗布し、この粘着剤１０１の表面に剥離可能な被覆テープ１０２を仮着して形成し、ガラス面に紙本体１００を貼付するときは、被覆テープ１０２を剥離して粘着剤１０１を露出し、この粘着剤１０１をガラス面に粘着させるものである。粘着剤１０１なので、紙本体１００が不要になったときは、これを引き剥がして撤去できるようにしている。
【０００３】
ところで、この種のガラス用の紙としては、同じ情報を多数のガラス面に表示する場合に便利な所謂フォーム用紙を用い、上記の粘着剤を設けたものを使用することも行なう。このフォーム用紙は、表裏面を有して矩形状に形成され少なくとも表面に情報が表示され上端縁及び下端縁でミシン目を介して切り離し可能に列設される複数の用紙単体と、列設される各用紙単体の両側端縁に夫々ミシン目を介して切り離し可能に連結され用紙単体の列設方向に沿って所定間隔でパンチ孔が複数形成された耳部とを備え、用紙単体を切り離してガラスに貼付している。
【先行技術文献】
【特許文献】
【０００４】
【特許文献１】特開２００９−２２１３８８号公報
【発明の概要】
【発明が解決しようとする課題】
【０００５】
しかしながら、この従来のフォーム用紙においては、粘着剤を介して用紙単体をガラス面に貼付するので、用紙単体が用済みになって撤去する際、ガラスから用紙単体を引き剥がすと、粘着剤なので、たとえ粘着力が弱いときであっても、少なからず粘着剤の跡が残ってしまい、即ち、糊残りしてしまうので、剥がした後のガラス面のクリーニングが煩雑になるという問題があった。特に、粘着剤は経年変化するので、長期間貼付した後に用紙単体を剥がすと、粘着剤の糊残りが顕著になる。
また、糊残りするので、用紙単体を貼る場所を間違えた場合等、貼りなおし時に貼付場所を変えるときは、剥がした用紙単体の粘着剤の糊残りを拭き取らなければならず、そのため、貼りなおし作業が煩雑になるという問題もあった。
更に、粘着剤で粘着しているので、長期間貼付した後に用紙単体を剥がすと粘着剤の粘着力が弱くなってしまい、そのため、繰り返し使用することができなかった。
【０００６】
本発明は、このような問題点に鑑みてなされたもので、貼付した用紙単体を剥がしたときに糊残りしないようにして剥がした後のガラス面のクリーニングを容易に行なえるようにし、貼りなおし作業を容易にするとともに繰り返し使用することのできるガラス用吸着フォーム用紙を提供することを目的とする。
【課題を解決するための手段】
【０００７】
このような目的を達成するため、本発明のガラス用吸着フォーム用紙は、表裏面を有して矩形状に形成され少なくとも表面に情報が表示され上端縁及び下端縁でミシン目を介して切り離し可能に列設される複数の用紙単体と、該列設される各用紙単体の両側端縁に夫々ミシン目を介して切り離し可能に連結され該用紙単体の列設方向に沿って所定間隔でパンチ孔が複数形成された耳部とを備え、上記用紙単体が切り離されてガラス面に引き剥がし可能に貼付されるガラス用吸着フォーム用紙であって、上記各用紙単体の表面であって上記両側端縁の内側に、夫々、ガラス面に吸着可能な所定幅の帯状の吸着層を該両側端縁に沿って設け、該各吸着層の表面に剥離可能な被覆テープを仮着した構成となっている。
【０００８】
これにより、フォーム用紙をガラス面に貼着させるときは、用紙単体毎に使用するので、フォーム用紙から各用紙単体を切り離し、必要に応じて各用紙単体から耳部を切り離す。この状態で、被覆テープを剥離して吸着層を露出し、この吸着層をガラス面に吸着させる。吸着させているので、一度貼着させた用紙単体をガラス面から剥がしやすく、例えば間違って貼着してしまったとき等に貼りなおし作業が可能である。
【０００９】
この場合、吸着により用紙単体をガラス面に吸着させているので、即ち、粘着性のある糊等を使用していないので、一度吸着させた用紙単体を剥がしてもガラス面に糊残りすることがなく、綺麗に剥がすことができるので、剥がした後のガラス面のクリーニングを容易に行なうことができる。また、糊残りしないで綺麗に剥がすことができることから、例えば用紙単体を貼る場所を間違えた場合等、貼りなおし時に貼付場所を変えるときでも、容易に貼りなおすことができ、そのため、貼りなおし作業を容易にすることができる。更に、吸着させていることから、貼着，剥離を何度繰り返しても貼着力が弱くなりにくく、そのため、繰り返し使用することができる。
【００１０】
また、用紙単体を、例えば建物の建築現場に使用されている窓ガラスのガラス面に吸着させた場合、用紙単体によって作業者がガラスまでの距離感をつかむことができるので、作業者がガラスに衝突する事態を防止することができる。また、建築現場に使用されているガラスのガラス面に用紙単体を吸着させた場合、用紙単体の表面に情報が表示されており、この表面側をガラス面に吸着させているので、作業者以外の人にも情報を提示することができる。更に、用紙単体表面の両側端縁の内側に所定幅で帯状の吸着層を夫々付設したので、用紙単体の表面全体に吸着層を付設した場合に比較して、付設される吸着層の面積が小さくなり、そのため、コストを低減させることができる。更にまた、各吸着層の表面に被覆テープを仮着したので、フォーム用紙を、例えば用紙単体の上端及び下端のミシン目で折り返して畳んだ場合でも、吸着層が他の用紙単体に吸着することがなく、そのため、フォーム用紙を保管しやすくなる。
【００１１】
そして、必要に応じ、上記吸着層を、その表面を上記ガラス面に対して開口する多数の吸盤状の微細気孔を有して構成している。
これにより、吸着層をガラス面に押し付けると、微細気孔が吸盤状にガラス面に吸着するようになる。吸盤状に吸着するので、強固に貼着させることができる。また、吸盤状なので、より一層用紙単体をガラス面から綺麗に剥がすことができ、そのため、より一層剥がした後のガラス面のクリーニングを容易に行なうことができる。
【００１２】
また、必要に応じ、上記吸着層は、その裏面が粘着剤を介して上記用紙単体の表面に貼着されている構成となっている。
これにより、用紙単体と吸着層とを強固に固着することができる。
【００１３】
更に、必要に応じ、上記各用紙単体の裏面に情報を表示した構成としている。
これにより、用紙単体の表面及び裏面の両面に情報を表示するので汎用性を向上させることができる。また、用紙単体を、例えば作業現場に使用されているガラスのガラス面に吸着させた場合、用紙単体の裏面は作業者が見るので、例えば、作業手順や作業内容，作業スケジュール等の情報を用紙単体の裏面に表示することにより、所謂作業指示書にすることができ、そのため、汎用性を向上させることができる。
【００１４】
また、上記目的を達成するため、本発明は、上記のガラス用吸着フォーム用紙から切り離される用紙単体にある。上記と同様の作用，効果を奏する。
【発明の効果】
【００１５】
本発明によれば、情報が表示された用紙単体の表面に吸着層を設け、この吸着層をガラス面に吸着させることにより、用紙単体をガラス面に吸着させているので、一度貼付した用紙単体をガラス面から剥がしやすく、例えば間違って貼着してしまったとき等に貼りなおし作業が可能である。この場合、吸着により用紙単体をガラス面に吸着させているので、即ち、粘着性のある糊等を使用していないので、一度吸着させた用紙単体を剥がしてもガラス面に糊残りすることがなく、綺麗に剥がすことができ、剥がした後のガラス面のクリーニングを容易に行なうことができる。また、糊残りしないで綺麗に剥がすことができることから、例えば用紙単体を貼る場所を間違えた場合等、貼りなおし時に貼付場所を変えるときでも、容易に貼りなおすことができ、そのため、貼りなおし作業を容易にすることができる。更に、吸着させていることから、貼着，剥離を何度繰り返しても貼着力が弱くなりにくく、そのため、繰り返し使用することができる。
【図面の簡単な説明】
【００１６】
【図１】本発明の実施の形態に係るガラス用吸着フォーム用紙を示す斜視図である。
【図２】本発明の実施の形態に係るガラス用吸着フォーム用紙を示し、（Ａ）は用紙単体毎に切り離した状態の正面図、（Ｂ）は耳部を切り離した状態の正面図である。
【図３】本発明の実施の形態に係るガラス用吸着フォーム用紙を示し、（Ａ）は側面図、（Ｂ）は被覆テープを剥離した状態の側面図である。
【図４】本発明の実施の形態に係る吸着層を示す拡大側面図である。
【図５】本発明の実施の形態に係るガラス用吸着フォーム用紙をガラス面に吸着させた状態で示す斜視図である。
【図６】図５中Ａ−Ａ線断面図及び要部拡大断面図である。
【図７】本発明の実施の形態に係るガラス用吸着フォーム用紙の製造方法を示す図である。
【図８】従来のガラス用の紙の一例を示す図である。
【発明を実施するための形態】
【００１７】
以下、添付図面に基づいて本発明の実施の形態に係るガラス用吸着フォーム用紙及びその用紙単体を説明する。本実施の形態においては、例えば建物の建築現場等の作業現場に用いられるガラス用吸着フォーム用紙について説明する。
図１乃至図６には、本発明の実施の形態に係るガラス用吸着フォーム用紙Ｐを示している。本ガラス用吸着フォーム用紙Ｐは、用紙単体１０が複数列設されたフォーム用紙１と、吸着層３０と、被覆テープ４０とを備えて構成されている。このガラス用吸着フォーム用紙Ｐは、用紙単体１０が切り離されてガラス面Ｇに引き剥がし可能に貼付されるものである。
【００１８】
フォーム用紙１は、表面１１及び裏面１２を有して矩形状に形成され表面１１及び裏面１２に夫々情報が表示され上端縁１３及び下端縁１４でミシン目１５を介して切り離し可能に列設される複数の用紙単体１０と、列設される各用紙単体１０の両側端縁１６に夫々ミシン目１７を介して切り離し可能に連結され用紙単体１０の列設方向に沿って所定間隔でパンチ孔２１が複数形成された耳部２０とを備えて構成されている。
【００１９】
用紙単体１０の表面１１には、例えば会社名等の情報が印刷されて表示され、裏面１２には、作業手順や作業内容，作業スケジュール等の情報が印刷されて表示されている。
【００２０】
吸着層３０は、フォーム用紙１をガラス面Ｇに吸着可能にするもので、例えば非塩ビ材で、アクリル系特殊ポリマーフォーム等を用いて所定幅の帯状に形成されており、各用紙単体１０の表面１１であって両側端縁１６の内側に両側端縁１６に沿って夫々設けられている。この吸着層３０は、その表面３１がガラス面Ｇに対して開口する多数の吸盤状の微細気孔３２を有して構成されている。また、この吸着層３０の裏面３３には粘着剤３４が設けられており、この粘着剤３４を介して吸着層３０が用紙単体１０の表面１１に貼着されている。
【００２１】
被覆テープ４０は、樹脂で吸着層３０の表面３１と略同形に形成されており、各吸着層３０の表面３１に剥離可能に仮着されている。
【００２２】
このように構成されるガラス用吸着フォーム用紙Ｐを製造するときは、以下のようにする。図７に示すように、予め、吸着層３０の表面３１に被覆テープ４０を仮着し、次に、吸着層３０の裏面３３に粘着剤３４を設け、それから、粘着剤３４に、例えば樹脂製のシート３５を仮着して帯状のテープＴを作成し、このテープＴをロール状のロールテープＴとして用意しておく。また、紙のみのフォーム用紙１をロール状のロール紙Ｒとして用意しておく。
【００２３】
このロールテープＴをロール紙Ｒに、例えば周知の製造機で貼付させてガラス用吸着フォーム用紙Ｐを製造する。詳しくは、図７に示すように、ロールテープＴを、例えば周知の搬送機５０で搬送していく。このとき、搬送途中に設けられる周知の剥離機５１でシート３５を剥離し、吸着層３０の裏面３３に設けられた粘着剤３４を露出する。
【００２４】
一方、ロール紙Ｒは、周知の送り機５２で送られる。このとき、紙のみのフォーム用紙１の耳部２０に形成されたパンチ孔２１に、例えば送り機５２に設けられるスプロケットの歯部等が入るようにしてスプロケットの回転によりフォーム用紙１を送るようにする。そして、この紙のみのフォーム用紙１の送り途中に、周知の印刷機５３で各用紙単体１０の表面１１及び裏面１２夫々に情報を印刷して表示する。
【００２５】
そして、図７に示すａ点において、周知の貼付機５４で、印刷後のフォーム用紙１の表面１１に、シート３５が剥離されて粘着剤３４が露出した吸着層３０の裏面３３を押し付けて付設する。粘着剤３４を介して用紙単体１０に吸着層３０を付設するので、用紙単体１０と吸着層３０とを強固に固着することができる。このように吸着層３０が付設されたフォーム用紙１を、例えば用紙単体１０の上端縁１３及び下端縁１４のミシン目１５で折り返して畳んで保管する。この場合、各吸着層３０の表面３１に被覆テープ４０が仮着されているので、フォーム用紙１を折り畳んでも吸着層３０が他の用紙単体１０に吸着することがなく、そのため、フォーム用紙１を保管しやすくなる。
【００２６】
従って、この実施の形態に係るガラス用吸着フォーム用紙Ｐをガラス面Ｇに貼着させるときは、用紙単体１０毎に使用するので、図２（Ａ）に示すようにフォーム用紙１から各用紙単体１０を切り離し、図２（Ｂ）に示すように各用紙単体１０から耳部２０を切り離す。この状態で、図３（Ｂ）に示すように被覆テープ４０を剥離して吸着層３０を露出し、この吸着層３０をガラス面Ｇに押し付けて吸着させる。吸着層３０をガラス面Ｇに押し付けると、図６に示すように微細気孔３２が吸盤状にガラス面Ｇに吸着するようになる。吸盤状に吸着するので、強固に貼着させることができる。また、吸着させているので、一度貼着させた用紙単体１０をガラス面Ｇから剥がしやすく、例えば間違って貼着してしまったとき等に貼りなおし作業が可能である。
【００２７】
この場合、吸着により用紙単体１０をガラス面Ｇに吸着させているので、即ち、粘着性のある糊等を使用していないので、一度吸着させた用紙単体１０を剥がしてもガラス面Ｇに糊残りすることがなく、綺麗に剥がすことができるので、剥がした後のガラス面Ｇのクリーニングを容易に行なうことができる。また、吸盤状なので、より一層用紙単体１０をガラス面Ｇから綺麗に剥がすことができ、そのため、より一層剥がした後のガラス面Ｇのクリーニングを容易に行なうことができる。
【００２８】
また、糊残りしないで綺麗に剥がすことができることから、例えば用紙単体１０を貼る場所を間違えた場合等、貼りなおし時に貼付場所を変えるときでも、容易に貼りなおすことができ、そのため、貼りなおし作業を容易にすることができる。更に、吸着させていることから、貼着，剥離を何度繰り返しても貼着力が弱くなりにくく、そのため、繰り返し使用することができる。
【００２９】
更に、用紙単体１０を、例えば建物の建築現場に使用されている窓ガラスのガラス面Ｇに吸着させた場合、用紙単体１０によって作業者がガラスまでの距離感をつかむことができるので、作業者がガラスに衝突する事態を防止することができる。
【００３０】
更にまた、建築現場に使用されているガラスのガラス面Ｇに用紙単体１０を吸着させた場合、用紙単体１０の表面１１に情報が表示されており、この表面１１側をガラス面Ｇに吸着させているので、作業者以外の人にも情報を提示することができる。また、用紙単体１０の裏面１２にも情報が表示されており、この裏面１２は作業者が見るので、本実施の形態のように作業手順や作業内容，作業スケジュール等の情報を用紙単体１０の裏面１２に表示することにより、所謂作業指示書にすることができ、そのため、汎用性を向上させることができる。
【００３１】
また、用紙単体１０の表面１１であって両側端縁１６の内側に所定幅で帯状の吸着層３０を夫々付設したので、用紙単体１０の表面１１全体に吸着層３０を付設した場合に比較して、付設される吸着層３０の面積が小さくなり、そのため、コストを低減させることができる。
【００３２】
尚、上記実施の形態において、吸着層３０の裏面３３に粘着剤３４を設けて粘着剤３４により吸着層３０を用紙単体１０に付設したが、必ずしもこれに限定されるものではなく、例えば、吸着層３０の裏面３３に樹脂製のシート材（例えば、ＰＥＴフィルム等）を設け、このシート材に粘着剤３４を設けて粘着剤３４を介して吸着層３０を用紙単体１０に付設しても良く、適宜変更して差支えない。
また、上記実施の形態において、建物の建築現場等の作業現場に使用されている窓ガラスのガラス面Ｇに用紙単体１０を吸着させたが、必ずしもこれに限定されるものではないことは勿論である。
【符号の説明】
【００３３】
Ｐ  ガラス用吸着フォーム用紙
Ｇ  ガラス面
Ｔ  テープ
Ｒ  ロール紙
１  フォーム用紙
１０  用紙単体
１１  表面
１２  裏面
１３  上端縁
１４  下端縁
１５  ミシン目
１６  両側端縁
１７  ミシン目
２０  耳部
２１  パンチ孔
３０  吸着層
３１  表面
３２  微細気孔
３３  裏面
３４  粘着剤
３５  シート
４０  被覆テープ
５０  搬送機
５１  剥離機
５２  送り機
５３  印刷機
５４  貼付機
【図１】
2011224804.tif 000003
【図２】
2011224804.tif 000004
【図３】
2011224804.tif 000005
【図４】
2011224804.tif 000006
【図５】
2011224804.tif 000007
【図６】
2011224804.tif 000008
【図７】
2011224804.tif 000009
【図８】
2011224804.tif 000010